(57)【要約】【課題】歩行動作分析のためのカメラを毎回同じアングルに容易に据えられるようにする。【解決手段】スタジオ５の床面８に、歩行路９の中心軸線９ａと平行に基準マーカ２および左右マーカ３を形成し、三脚６に搭載されたカメラ７のアングル調整には、投光器１および校正治具４を用いる。校正治具４は、基準点４１からｘ，ｙ，ｚの各方向に延びる棒状体４３，４４，４２を組合わせて構成され、基準点４１および棒状体４２，４３の遊端部および後方の連結部材４７に反射部材５１，５２，５３，５４をそれぞれ有する。一方、カメラ７上の投光器１は、レーザ墨出し器の要領で、上下方向に面状の光７２を放射する。エクササイズ等での使用で撤去されていたカメラ７を、歩行状態の解析のために設置する際は、基準マーカ２上に反射部材５１が、左右マーカ３上に反射部材５３が位置するように校正治具４が設置され、反射部材５１，５２，５４に光７２が当るように調整する。【選択図】図１
2010026235.tif 000002
【特許請求の範囲】
【請求項１】
三脚に搭載されて可搬であるカメラを、予め定める撮像空間で同じアングルとなるように据付けるための装置であって、
前記三脚に搭載されて、前記カメラの光軸を含む上下方向の面状に光を放射する投光器と、
前記撮像空間の床面に敷設され、前記カメラの光軸の前記床面への投影線が通過すべき位置に設けられる基準マーカおよび前記基準マーカの左右の少なくとも一方側に設けられる左右マーカと、
基準点から、相互に直交する３方向に延びる板状体または棒状体を組合わせて成り、前記床面から所定の高さに起立する板状体または棒状体を有し、前記基準点が前記基準マーカ上に設置され、左右方向に延びる板状体または棒状体が前記左右マーカを通過するように設置された状態で、前記投光器からの光の面が前記基準点から奥行き方向に延びる板状体または棒状体と平行となることで、前記カメラの光軸が前記基準マーカ上を通過し、かつ前記カメラの撮像面が前記基準マーカと左右マーカとを結ぶ線と平行となるように、前記三脚上に前記カメラを据付け可能とする校正治具とを含むことを特徴とするカメラアングル調整装置。
【請求項２】
前記校正治具は、棒状体を組合わせて成り、前記左右方向に延びる棒状体の遊端部から、前記床面から所定の高さに起立する棒状体をさらに有し、
前記投光器は、水平方向の面状にも光を放射することを特徴とする請求項１記載のカメラアングル調整装置。
【請求項３】
前記カメラからの撮像画像が入力される装置には、前記校正治具の予め定める部分の撮像画像から、大きさが既知であるその部分が何画素に対応するかから、前記撮像画像の分解能を校正する手段を有することを特徴とする請求項１または２記載のカメラアングル調整装置。
【請求項４】
前記基準点および各板状体の隅角部または棒状体の遊端部には、前記投光器からの光を反射する反射部材をさらに備えることを特徴とする請求項１〜３のいずれか１項に記載のカメラアングル調整装置。
【請求項５】
前記基準マーカおよび左右マーカは、床面に敷設される長尺状の歩行マットに形成されることを特徴とする請求項１〜４のいずれか１項に記載のカメラアングル調整装置。
【請求項６】
前記基準マーカおよび左右マーカは、前記歩行マットにおいて、被験者の歩行の目安となる中心線から、予め定める間隔だけ、カメラ側にオフセット形成されることを特徴とする請求項５記載のカメラアングル調整装置。
【請求項７】
前記歩行マットには、伸長または歩幅に合わせた歩行開始マークがさらに形成されていることを特徴とする請求項５または６記載のカメラアングル調整装置。
【発明の詳細な説明】
【技術分野】
【０００１】
本発明は、持ち運び（撤去）可能なカメラを、毎回同じ撮像範囲（アングル）となるように据付けるための調整装置に関し、特にスタジオなどで、歩行状態を撮影するために好適に使用されるもの関する。
【背景技術】
【０００２】
近年、健康意識の高まりから、単に歩くだけでなく、如何に姿勢良く綺麗に歩くか、或いは如何にエクササイズ効果を高められるか等の歩き方の解析も行われている。その解析にあたっては、被験者の動きがカメラで撮影される。そのような典型的な従来技術としては、高齢者やリハビリ患者用であるが、特許文献１には、歩行床の左右各側の前後の固定位置に支柱を取付け、その前後の支柱間に渡した手摺りを頼りに被験者が歩行を行う一方、カメラは前記歩行床上を歩行する被験者を撮影し、演算処理によって、支柱に埋込まれた発光体を基準として、被験者の足跡を解析するようにした足跡分析装置が提案されている。
【特許文献１】特開２００２−３４２７４９号公報
【発明の開示】
【発明が解決しようとする課題】
【０００３】
上述の従来技術は、歩行床に手摺りおよびカメラは常設のものであり、毎回同じアングルで撮影することができる。しかも被験者が伝い歩きする手摺りの支柱が、基準として画面内に必ず映り込んでいる。
【０００４】
しかしながら、前述のように如何に姿勢良く綺麗に歩いているか等を確かめるような場合、手摺りのような基準を設けられないので、それとの相対位置関係で被験者の動きを解析する特許文献１の手法は使用できない。そこで、そのような相対基準が設けられない場合、カメラを固定しておけば、初期調整だけで、毎回正確に解析を行うことができる。すなわち、レンズの歪や、カメラからの距離による被験者像の大きさの違いなどを、画像処理によって予め補正しておくことができる。
【０００５】
しかしながら、前記スタジオなどでは、エクササイズが行われたりして、カメラを撤去しなければならないのが実状である。また、会場を借りて出張で歩行姿勢を診断するようなことも多く、カメラを常設しておくことは困難である。
【０００６】
本発明の目的は、持ち運び（撤去）可能なカメラを、再現性良く、毎回同じ撮像範囲（アングル）となるように、容易に据付けることができるカメラアングル調整装置を提供することである。
【課題を解決するための手段】
【０００７】
本発明のカメラアングル調整装置は、三脚に搭載されて可搬であるカメラを、予め定める撮像空間で同じアングルとなるように据付けるための装置であって、前記三脚に搭載されて、前記カメラの光軸を含む上下方向の面状に光を放射する投光器と、前記撮像空間の床面に敷設され、前記カメラの光軸の前記床面への投影線が通過すべき位置に設けられる基準マーカおよび前記基準マーカの左右の少なくとも一方側に設けられる左右マーカと、基準点から、相互に直交する３方向に延びる板状体または棒状体を組合わせて成り、前記床面から所定の高さに起立する板状体または棒状体を有し、前記基準点が前記基準マーカ上に設置され、左右方向に延びる板状体または棒状体が前記左右マーカを通過するように設置された状態で、前記投光器からの光の面が前記基準点から奥行き方向に延びる板状体または棒状体と平行となることで、前記カメラの光軸が前記基準マーカ上を通過し、かつ前記カメラの撮像面が前記基準マーカと左右マーカとを結ぶ線と平行となるように、前記三脚上に前記カメラを据付け可能とする校正治具とを含むことを特徴とする。
【０００８】
上記の構成によれば、固定設置されておらず、三脚に搭載されて持ち運び（撤去）可能なカメラを、予め定める撮像空間で同じアングルとなるように据付けるにあたって、前記撮像空間の床面にマーカを形成するとともに、投光器に校正治具を用いる。そして、前記投光器は、三脚の雲台に直付けされて、或いは雲台上に搭載されたカメラに搭載されて、カメラの光軸を含む上下方向の面状に光を放射する。前記マーカとしては、前記カメラの光軸の床面への投影線が通過すべき位置、すなわち画面中央となるべき位置に基準マーカを設けるとともに、その基準マーカの左右の少なくとも一方側に左右マーカを設けて、左右方向に延びる基準線を形成する。一方、前記校正治具は、基準点から、相互に直交するｘ，ｙ，ｚの３方向に延びる板状体または棒状体から成ることで、前記床面から起立する板状体または棒状体を有し、前記基準点、すなわち結節点が前記基準マーカ上に設置され、左右方向に延びる板状体または棒状体が前記左右マーカを通過するように設置される。
【０００９】
したがって、基準マーカから規定の距離となる位置で、前記投光器からの光の面が前記基準点から奥行き方向に延びる板状体または棒状体と平行となるように三脚を据付けることで、前記カメラの光軸が前記基準マーカ上を通過し、かつその光軸が前記基準マーカと左右マーカとを結ぶ線と垂直となるように、すなわちパン方向の位置決めを行うことができるとともに、傾き（光軸回りの角度）調整、すなわち左右方向の水平出しを行い、前記カメラを据付けることができる。さらに、前記投光器からの面状の光の上端を、前記基準点から上方に延びる板状体または棒状体の上端と一致させることで、チルト方向の位置決めを行うことができる。
【００１０】
こうして、持ち運び（撤去）可能なカメラを、同じ撮像空間に、再現性良く、毎回同じ撮像範囲（アングル）となるように、容易に据付けることができる。
【００１１】
また、本発明のカメラアングル調整装置では、前記校正治具は、棒状体を組合わせて成り、前記左右方向に延びる棒状体の遊端部から、前記床面から所定の高さに起立する棒状体をさらに有し、前記投光器は、水平方向の面状にも光を放射することを特徴とする。
【００１２】
上記の構成によれば、基準点から起立する棒状体の遊端部と、左右方向に延びる棒状体の遊端部から起立する棒状体の遊端部とを、水平方向の光が通過するように三脚を調整することで、チルト方向の角度合せおよび傾き（光軸回りの角度）調整を、より厳密に行うことができる。
【００１３】
さらにまた、本発明のカメラアングル調整装置では、前記カメラからの撮像画像が入力される装置には、前記校正治具の予め定める部分の撮像画像から、大きさが既知であるその部分が何画素に対応するかから、前記撮像画像の分解能を校正する手段を有することを特徴とする。
【００１４】
上記の構成によれば、歩行動作分析装置などの前記カメラからの撮像画像が入力され、その撮像画像を解析する装置には、テスト撮影の結果、前記校正治具の予め定める部分の撮像画像から、大きさが既知であるその部分、たとえば板状体の幅や棒状体の長さが、カメラの何画素に対応するかから、前記撮像画像の分解能（１画素当りにおける前記撮像空間の距離）を校正する。
【００１５】
したがって、上述のようなアングル調整に加えて、距離に応じた校正を行うことができ、前記装置での解析精度を向上することができる。たとえば、前記歩行動作分析装置の場合には、前記分解能に対応して（校正をかけて）、歩幅や関節角度を正確に検出することができるようになる。
【００１６】
また、本発明のカメラアングル調整装置では、前記基準点および各板状体の隅角部または棒状体の遊端部には、前記投光器からの光を反射する反射部材をさらに備えることを特徴とする。
【００１７】
上記の構成によれば、投光器からの光が当っているか否かを容易に判定することができる。また、前記のような１画素当りの距離の分解能を、反射部材間の距離から容易に求めることができる。
【００１８】
さらにまた、本発明のカメラアングル調整装置では、前記基準マーカおよび左右マーカは、床面に敷設される長尺状の歩行マットに形成されることを特徴とする。
【００１９】
上記の構成によれば、歩行状態を撮影するのに、常設のスタジオ等だけでなく、前記カメラ、投光器、三脚および校正治具に、歩行マットも持参すれば、任意の場所で、同じ撮像空間を構成することができる。なお、前記マーカは、前記歩行マットに、印刷、塗装、縫い付け等の任意の形態で形成されればよい。
【００２０】
また、本発明のカメラアングル調整装置では、前記基準マーカおよび左右マーカは、前記歩行マットにおいて、被験者の歩行の目安となる中心線から、予め定める間隔だけ、カメラ側にオフセット形成されることを特徴とする。
【００２１】
上記の構成によれば、歩行状態を撮影する場合、被験者の脚や腕などにマーカが取付けられ、カメラでそれを撮影するので、前記基準マーカおよび左右マーカを、歩行マットにおいて、被験者の歩行の目安とする中心線から、被験者の体側分手前にオフセット形成しておくことで、実際のマーカの通過位置において、カメラアングルを調整することができる。
【００２２】
さらにまた、本発明のカメラアングル調整装置では、前記歩行マットには、伸長または歩幅に合わせた歩行開始マークがさらに形成されていることを特徴とする。
【００２３】
上記の構成によれば、被験者の伸長や歩幅に拘わらず、被験者を、歩行状態を解析するのに最適な歩数で、カメラの光軸付近を通過させることができる。
【発明の効果】
【００２４】
本発明のカメラアングル調整装置は、以上のように、固定設置されておらず、三脚に搭載されて持ち運び（撤去）可能なカメラを、予め定める撮像空間で同じアングルとなるように据付けるにあたって、前記撮像空間の床面に、前記カメラの光軸の前記床面への投影線が通過すべき位置に基準マーカを設け、さらに前記基準マーカの左右の少なくとも一方側に左右マーカマーカを形成するとともに、前記三脚には、前記カメラの光軸を含む上下方向の面状に光を放射する投光器を搭載し、その投光器からの上下方向の面状の光を、相互に直交するｘ，ｙ，ｚの３方向に延びる板状体または棒状体から成り、その結節点が前記基準マーカ上に設置され、左右方向に延びる板状体または棒状体が前記左右マーカを通過するように設置される校正治具に照射することで、前記三脚の調整を行う。
【００２５】
それゆえ、持ち運び（撤去）可能なカメラを、同じ撮像空間に、再現性良く、毎回同じ撮像範囲（アングル）となるように、容易に据付けることができる。
【００２６】
また、本発明のカメラアングル調整装置は、以上のように、前記校正治具を、棒状体を組合わせて構成し、さらに左右方向に延びる棒状体の遊端部から起立する棒状体を設けるとともに、前記投光器を、水平方向の面状にも光を放射するように構成する。
【００２７】
それゆえ、左右に間隔を開けて起立する相互に長さの等しい２本の棒状体の先端同士を、水平方向の光が通過するように三脚を調整することで、チルト方向の角度合せおよび傾き（光軸回りの角度）調整を、より厳密に行うことができる。
【００２８】
さらにまた、本発明のカメラアングル調整装置は、以上のように、歩行動作分析装置などの前記カメラからの撮像画像が入力され、その撮像画像を解析する装置は、テスト撮影の結果、前記校正治具の予め定める部分の撮像画像から、大きさが既知であるその部分がカメラの何画素に対応するかから、前記撮像画像の分解能（１画素当りにおける前記撮像空間の距離）を校正する。
【００２９】
それゆえアングル調整に加えて、距離に応じた校正を行うことができ、前記装置での解析精度を向上することができる。
【００３０】
また、本発明のカメラアングル調整装置は、以上のように、板状体または棒状体の結節点および各板状体の隅角部または棒状体の遊端部に、前記投光器からの光を反射する反射部材をさらに設ける。
【００３１】
それゆえ、投光器からの光が当っているか否かを容易に判定することができる。
【００３２】
さらにまた、本発明のカメラアングル調整装置は、以上のように、前記基準マーカおよび左右マーカを、床面に敷設される長尺状の歩行マットに形成する。
【００３３】
それゆえ、歩行状態を撮影するのに、常設のスタジオ等だけでなく、前記カメラ、投光器、三脚および校正治具に、歩行マットも持参すれば、任意の場所で、同じ撮像空間を構成することができる。
【００３４】
また、本発明のカメラアングル調整装置は、以上のように、前記基準マーカおよび左右マーカを、前記歩行マットにおいて、被験者の歩行の目安となる中心線から、予め定める間隔だけ、カメラ側にオフセット形成する。
【００３５】
それゆえ、実際のマーカの通過位置において、カメラアングルを調整することができる。
【００３６】
さらにまた、本発明のカメラアングル調整装置は、以上のように、前記歩行マットに、伸長または歩幅に合わせた歩行開始マークをさらに形成する。
【００３７】
それゆえ、被験者の伸長や歩幅に拘わらず、被験者を、歩行状態を解析するのに最適な歩数で、カメラの光軸付近を通過させることができる。
【発明を実施するための最良の形態】
【００３８】
［実施の形態１］
図１は、本発明の実施の第１の形態に係るカメラアングル調整装置の構成を示す斜視図である。本実施の形態のカメラアングル調整装置は、投光器１と、基準マーカ２および左右マーカ３と、校正治具４とを備えて構成される。このカメラアングル調整装置は、撮像空間であるスタジオ５内で、三脚６に搭載されたカメラ７を、毎回同じ撮像範囲（アングル）５０となるように据付けるために使用されるものである。そして、据付けられたカメラ７で、床面８に示された歩行路９上を歩行する被験者を撮影し、その被験者の手足の先や関節に付けられたマーカを図示しない解析手段で認識・解析することで、後述するように、歩幅、脚の上がり方、腕の振り幅などの判定が１度に行われるようになっている。このスタジオ５は、エクササイズなどにも使用され、したがってカメラ７はその歩行状態の解析時のみ設置され、それ以外の間は撤去されている。
【００３９】
前記歩行路９は、床面８の所定領域に選ばれており、図２（ａ）でも示すように、その中心には、被験者の歩行の目安となる中心線９ａが引かれている。その中心線９ａから、予め定める間隔Ｗだけ、カメラ７側にオフセットして、前記基準マーカ２および左右マーカ３が設置される。したがって、これらの基準マーカ２と左右マーカ３とを結ぶ直線２３は、前記中心線９ａと平行である。また、基準マーカ２は、該基準マーカ２上を、カメラ７の光軸の床面８への投影線７１が通過すべき位置、すなわち前記歩行路９の略中間位置に設けられる。その基準マーカ２および左右マーカ３上に、校正治具４が、撮像範囲（アングル）５０の調整の際に設置され、実際の撮影時には該校正治具４は撤去される。
【００４０】
前記校正治具４は、基準点４１から、相互に直交するｘ，ｙ，ｚの３方向に延びる板状体または棒状体（本実施の形態では、以降、棒状体とする）４２，４３，４４を組合わせて構成される。前記基準点４１から上方（ｚ方向）に延びる棒状体４２は、前記床面８から所定の高さ、たとえば１ｍの長さで起立している。また、前記基準点４１から左右方向（ｘ方向）に延びる棒状体４３も、所定の長さ、たとえば１ｍに形成される。一方、前記基準点４１から奥行き方向（ｙ方向）に延びる棒状体４４は、任意の長さに形成される。なお、この棒状体４４は、手前側（カメラ７側）に形成されてもよい。また、棒状体４３も、基準点４１の左方に延びて形成されてもよい。各棒状体４２，４３，４４間は、角度にずれを生じないように、適宜連結部材４５，４６，４７によって、相互に直交するように保持されている。そして、前記基準点４１および棒状体４２，４３の遊端部および連結部材４７の途中には、反射部材５１，５２，５３，５４がそれぞれ取付けられている。
【００４１】
前記反射部材５１，５２，５３，５４は、前記投光器１からの光を反射する球体から成り、棒状体４４が奥行き方向（カメラ７と反対側）に延びて、反射部材５４が棒状体４２の陰になる場合には、該棒状体４２が、透明な材料から成り、或いは相互に平行な２本の棒状体から成り、間にスリットが形成されればよい。また、反射部材５４は棒状体４４に設けられてもよい。これらの反射部材５１，５２，５３，５４は、前記被験者に取付けられるマーカが流用され、図１では、強調して描かれているけれども、たとえば直径が１４ｍｍである。
【００４２】
前記投光器１は、いわゆるレーザ墨出し器に類似した構成となっており、半導体レーザからの拡散光をコリメータレンズで収束した後、円筒状のロッドレンズに入射して周方向にのみ拡散させることで、図１に示すような帯状の光７２を放射するように構成されている（図１の例では、拡散が上下方向で、ロッドレンズは左右方向に配置されていることになる）。なお、この投光器１は、三脚６の雲台（図示せず）に直付けされてもよく、または図１で示すように雲台上に搭載されたカメラ７に搭載されてもよい。或いは、カメラ７およびこの投光器１と雲台とに、ワンタッチの着脱部材が設けられ、雲台に対してカメラ７と投光器１とを交換しても、同じアングルにセットされるようであれば、投光器１は別体とされてもよい。
【００４３】
上述のように構成されるカメラアングル調整装置において、調整時は、先ず校正治具４が、その反射部材５１（基準点４１）および反射部材５３が、それぞれ基準マーカ２および左右マーカ３上となるように設置される。これによって、左右方向（ｘ方向）に延びる棒状体４３が前記直線２３、すなわち前記中心線９ａと平行となり、奥行き方向（ｙ方向）に延びる棒状体４４が前記直線２３、すなわち前記中心線９ａと直交する。
【００４４】
一方、三脚６の雲台からは、索条６１によって重り６２が垂下されており、この重り６２が該三脚６の中心位置を示す。続いて、その重り６２が、前記基準マーカ２（反射部材５１）からの距離Ｌが予め定める長さ、たとえば５ｍとなる位置に三脚６が設置され、前記投光器１から略上下方向に帯状の光７２が放射される。先ずその帯の上端の光７３が前記棒状体４２の先端に取付けられた反射部材５２を照射するように雲台が調整されることで、チルト調整が行われる。なお、三脚６は、各脚６３の長さおよび開脚度合いが等しくなるように予め調整されているものとする。
【００４５】
さらに、前記帯状の光７２の何れかで、基準点４１の反射部材５１を照射するように、雲台の傾き（光軸回りの）調整が行われることで、前記帯状の光７２を、上下方向（ｚ方向）に延びる棒状体４２と平行に調整することができる。
【００４６】
その後、前記距離Ｌが所定長さ上の位置で、前記帯状の光７２の何れかで、後方の反射部材５４を照射するように、三脚６の左右位置が調整されることで、カメラ７の光軸を前記歩行の中心線９ａと直交するように、該カメラ７を設置することができる。なお、スタジオ５が常設で、歩行状態の撮影を行う場所（撮像範囲）が決まっている場合には、前記基準マーカ２および左右マーカ３とともに、前記重り６２に対応した三脚６の中心位置を示すマーカが、床面８に付されていてもよい。また、前記距離Ｌは、カメラ７の撮像画像において、反射部材５１と反射部材５２，５３との間の距離、たとえば１ｍに対して、撮像画像の画素数が、何画素該当するかなどからも求めることができる。
【００４７】
このように構成することで、基準マーカ２（基準点４１）から規定の距離Ｌとなる位置で、投光器１からの光７２の面が基準マーカ２（基準点４１）から奥行き方向に延びる棒状体４４（反射部材５４）と平行となるように三脚６を据付けることで、カメラ７の光軸が前記基準マーカ２上を通過し、かつその光軸が前記基準マーカ２と左右マーカ３とを結ぶ線２３と垂直となるように、すなわちパン方向の位置決めを行うことができるとともに、傾き（光軸回りの角度）調整、すなわち左右方向の水平出しを行い、前記カメラ７を据付けることができる。さらに、前記投光器１からの面状の光７２の上端の光７３が、前記基準点４１から上方に延びる棒状体４２の上端（反射部材５２）と一致させることで、チルト方向の位置決めを行うことができる。こうして、持ち運び（撤去）可能なカメラ７を、同じ撮像空間に、再現性良く、毎回同じ撮像範囲（アングル）５０となるように、容易に据付けることができる。
【００４８】
また、前記基準点４１および棒状体４２，４３の遊端部ならびに棒状体４７に、反射部材５１，５２，５３，５４をそれぞれ設けることで、投光器１からの光７２が当っているか否かを容易に判定することができる。
【００４９】
一方、図３は、歩行動作分析装置１１の電気的構成を示すブロック図である。撮影にあたって、被験者には、一方の側（たとえば、図１の紙面に向って左側から右側へ被験者が歩行する場合、カメラ７で見える右側）において、関節や端部などの注目点にマーカが貼付けられる。前記カメラ７の撮像画像は、歩行動作計測部１２に入力されて、そのマーカが抽出され、歩幅や腕の振り幅等の各種のパラメータが計測される。その計測結果は歩行動作分析部１３に入力され、所期の目的に沿って分析が行われ、その分析結果が表示部１４に表示される。
【００５０】
前記歩行動作計測部１２には、たとえば図４（ａ）で示すような２次元のモーションキャプチャなどを用いることができる。図４（ｂ）は、計測結果の一例を示すものであり、１歩毎の歩幅である。図４（ａ）の場合、右脚外果に装着されたマーカのＸ座標と、１歩後の左脚外果に装着されたマーカのＸ座標との差および左脚から右脚の差が求められている。前記歩幅以外に１歩毎に得られる長さのパラメータとしては、ステップ長や歩隔などを用いることができ、時間のパラメータとしては、遊脚時間を用いることができる。また、図５（ｃ）は、１歩毎の上腕の関節角度（図５（ａ）におけるθ１）を示すものであり、その求め方は、図５（ｂ）で示す２歩分の前記上腕角度θ１の変動から、最大値・最小値を求め、それらの差から求めることができる。
【００５１】
したがって、前記基準マーカ２および左右マーカ３を、被験者の歩行の目安となる中心線９ａから、予め定める間隔Ｗだけ、カメラ７側にオフセット形成しておくことで、図２（ｂ）で示すように右側の体側に設けられるマーカ１５が実際に通過する位置において、カメラ７のアングルを調整することができる（図２（ｂ）は前記歩行路９を歩行した被験者の足跡１６を示すものであり、前記マーカ１５は、くるぶしに取付けられているものとする）。ところで、２次元画像を撮影する場合、レンズにおいては奥行き・上下・左右方向に歪があるので、前述のように解析の対象となるマーカ１５が実際に通過する位置に応じて校正を行うことで、撮影画像から算出した真値と実測値との間の誤差を小さくすることができる。
【００５２】
また、前記歩行動作計測部１２では、テスト撮影の結果、前記校正治具４の予め定める部分、たとえば前記反射部材５１，５３の撮像画像から、大きさが既知であるそれらの間隔（１ｍ）に対して、カメラ７の何画素分が該当するのかによって、その設置位置で、１画素当りの距離の分解能が予め求められており、上述のような実際の計測時には、その分解能に対応して（校正をかけて）、歩幅や関節角度を正確に検出することができるようになっている。具体的には、前記撮像範囲（アングル）５０とカメラ７との距離が５ｍの場合、前記１ｍの反射部材５１，５３間の距離に対して、カメラ７上で認識された画素数が、たとえば２６０画素とすると、１００／２６０＝０．３８４６（ｃｍ／ｐｉｘｅｌ）となる。このＸ方向の距離だけでなく、反射部材５２によるＹ方向の距離が用いられてもよい。
【００５３】
このように構成することで、前述のようなアングル調整に加えて、距離に応じた校正を行うことができ、歩行動作分析装置１１での解析精度を向上することができる。また、前記反射部材５１，５３は、被験者に装着されるマーカであるので、前記歩行動作計測部１２では、そのマーカを認識するソフトウェアが搭載されており、前記分解能の校正を容易に行うことができる。
【００５４】
［実施の形態２］
図６は、本発明の実施の第２の形態に係るカメラアングル調整装置の構成を示す斜視図である。本実施の形態のカメラアングル調整装置は、投光器１’と、前記基準マーカ２および左右マーカ３と、校正治具４’とを備えて構成され、前述の図１の調整装置に類似し、対応する部分には同一の参照符号を付して示し、その説明を省略する。注目すべきは、投光器１’が前記上下方向に帯状の光７２（この図６では、図面が煩雑にならないように省略している）を放射するとともに、左右方向にも、帯状の光７５を放射するように構成されていることである（この図６の例では、拡散がこの左右方向で、ロッドレンズは上下方向に配置されていることになる）。
【００５５】
これに対応して、校正治具４’では、前記校正治具４の構成に加えて、前記左右方向（ｘ方向）に延びる棒状体４３の遊端部から上方（ｚ方向）に延びる棒状体４８に、その棒状体４８を支持する連結部材４９が設けられるとともに、前記棒状体４８の遊端部に反射部材５５が取付けられている。
【００５６】
このように構成することで、基準点４１から起立する棒状体４２の遊端部（反射部材５２）と、左右方向に延びる棒状体４３の遊端部から起立する棒状体４８の遊端部（反射部材５５）とを、水平方向の光７５が通過するように三脚６を調整することで、チルト方向の角度合せを、より厳密に行うことができる。
【００５７】
［実施の形態３］
図７は、本発明の実施の第３の形態に係るカメラアングル調整装置の構成を示す斜視図である。本実施の形態のカメラアングル調整装置で注目すべきは、前述の投光器１または１’（図７では１で示す）と、校正治具４または４’（図７では省略している）と、歩行マット９０とを備えて構成されることである。そして、前記基準マーカ２および左右マーカ３が、前記歩行路９を形成し、床面に敷設される長尺状の前記歩行マット９０に形成される。前記マーカ２，３は、前記歩行マット９０に、印刷、塗装、縫い付け等の任意の形態で形成されればよい。
【００５８】
このように構成することで、歩行状態を撮影するのに、常設のスタジオ等だけでなく、前記カメラ７、投光器１，１’、三脚６および校正治具４，４’に、歩行マット９０も持参すれば、任意の場所で、同じ撮像空間を構成することができる。
【００５９】
［実施の形態４］
図８は、本発明の実施の第４の形態に係るカメラアングル調整装置に用いられる歩行マット９１，９２の平面図である。これらの歩行マット９１，９２は、前述の歩行マット９０に代えて用いることができる。注目すべきは、図８（ａ）で示す歩行マット９１では、伸長に合わせた複数の歩行開始マーク９３がさらに形成されており、図８（ｂ）で示す歩行マット９２では、歩幅に合わせた複数の歩行開始マーク９４がさらに形成されていることである。これらの歩行開始マーク９３，９４は、印刷等で形成される。
【００６０】
これらの歩行開始マーク９３，９４の位置から、被験者が歩行を開始することで、歩行動作分析を行うにあたって、被験者の身長や歩幅が違っても、最も好ましい歩数、たとえば４〜６歩目が画面中央（カメラ７の光軸と歩行マット９１，９２とが交わる部分）に達するように設定することができる。たとえば、歩幅７０ｃｍの被験者の場合、５歩で進む距離は３．５ｍとなり、その場合、画面中央（光軸）から歩行進行方向と逆方向に３．５ｍの位置に開始マーク（ライン）９４を引くようにすればよい。同様にして、歩幅に応じた開始マーク（ライン）９４を引くことで、５歩目で画面中央に達するように設定できる。
【００６１】
一方、身長に応じた開始マーク（ライン）９３を引く場合には、身長に対する歩幅の割合を表す歩幅率を利用する。すなわち、平均的な歩幅率を３７％とした場合、身長１７０ｃｍの被験者の場合は歩幅は６２．９ｃｍとなり、前述と同様に計算すれば、容易に開始マーク（ライン）９３を設定することができる。
【図面の簡単な説明】
【００６２】
【図１】本発明の実施の第１の形態に係るカメラアングル調整装置の構成を示す斜視図である。
【図２】歩行動作分析が行われる歩行路と被験者の足跡とを説明するための図である。
【図３】歩行動作分析装置の電気的構成を示すブロック図である。
【図４】歩行動作計測の例として、歩幅の求め方を説明するための図である。
【図５】歩行動作計測の例として、上腕の関節角度の求め方を説明するための図である。
【図６】本発明の実施の第２の形態に係るカメラアングル調整装置の構成を示す斜視図である。
【図７】本発明の実施の第３の形態に係るカメラアングル調整装置の構成を示す斜視図である。
【図８】本発明の実施の第４の形態に係るカメラアングル調整装置に用いられる歩行マットの平面図である。
【符号の説明】
【００６３】
１，１’    投光器
２    基準マーカ
３    左右マーカ
４、４’    校正治具
５    スタジオ
６    三脚
７    カメラ
８    床面
９    歩行路
１１    歩行動作分析装置
１２    歩行動作計測部
１３    歩行動作分析部
１４    表示部
１５    マーカ
１６    足跡
４１    基準点
４２，４３，４４，４８    棒状体
４５，４６，４７，４９    連結部材
５０    撮像範囲（アングル）
５１，５２，５３，５４，５５    反射部材
６１    索条
６２    重り
６３    脚
７１    カメラ軸線の床面への投影線
７２，７５    帯状の光
９０，９１，９２    歩行マット
９３，９４    歩行開始マーク
【図１】
2010026235.tif 000003
【図２】
2010026235.tif 000004
【図３】
2010026235.tif 000005
【図４】
2010026235.tif 000006
【図５】
2010026235.tif 000007
【図６】
2010026235.tif 000008
【図７】
2010026235.tif 000009
【図８】
2010026235.tif 000010